【事件の表示】
　特許第２６５０９８４号「ヘアカーラー装置」の請求項１ないし２に係る特許に対する特許異議の申立てについて、次のとおり決定する。
【結論】
　訂正を認める。
　特許第２６５０９８４号の請求項１ないし２に係る特許を維持する。
【理由】
Ｉ．手続きの経緯
　特許第２６５０９８４号に係る手続きの経緯の概要は、以下の通りである。
昭和６３年１０月２６日　特許出願
平成９年５月１６日　　　特許権の設定登録
平成９年９月１０日　　　特許掲載公報の発行
平成１０年３月１０日　　特許異議の申立て（申立人　宮崎冨美生）
平成１０年３月１０日　　特許異議の申立て（申立人　九州日立マクセル株式会社）
平成１０年８月２４日　　取消理由の通知
平成１０年１１月１０日　訂正請求書の提出
平成１０年１１月３０日　訂正拒絶理由の通知
平成１１年２月１５日　　手続補正書（訂正請求書）の提出
平成１１年３月２９日　　取消理由の通知
平成１１年６月２８日　　特許異議意見書の提出
ＩＩ．訂正の適否の判断
１．訂正請求書の補正の適否
　訂正請求書の補正は、訂正明細書の特許請求の範囲をさらに減縮するものであるから、該補正は訂正請求の要旨を変更するものではなく適正なものと認める。
２．訂正事項
　上記補正された訂正請求書に記載された訂正事項は以下の通りである。
１）訂正事項
（１）訂正事項ａ
　特許請求の範囲請求項１を次のように訂正する。「（１）ヘアカーラーと、このヘアカーラーが着脱自在に装着される支持部を備えるとともに電源との接続用の栓刃を備えたヘアカーラー加熱用の支持台とからなり、支持台はその上面から支持部のみを突出させた形態となっており、支持台における支持部へのヘアカーラーの装着方向と交叉する方向に突出する上記栓刃は上記突出方向にスライド自在で該スライドにより支持台内に収納自在とされていることを特徴とするヘアカーラー装置。
（２）訂正事項ｂ
　特許公報２頁３欄２２行の「装着される」の前に「着脱自在に」を挿入する。
（３）訂正事項ｃ
　特許公報２頁３欄２４行頭の「り、」の次に下記の文を挿入する。
「支持台はその上面から支持部のみを突出させた形態となっており、」
（４）訂正事項ｄ
　特許公報２頁３欄２５行〜２６行の「スライド式自在」を「スライド自在」と訂正する。
２）訂正の目的の適否、新規事項の有無及び拡張変更の存否
　上記訂正事項ａは特許請求の範囲の減縮及び誤記の訂正を目的とするものであり、また、訂正事項ｂ乃至ｄは、訂正事項ａの特許請求の範囲の減縮及び誤記の訂正にともなう訂正であり、上記訂正事項ｂ乃至ｄは、、訂正前の明細書及び図面の「支持台１は、その上面から一本の棒状の支持部１１を突設する」（特許明細書３欄４５〜４７行）との記載及び第１図及び第２図に記載された事項である。
　したがって、上記訂正は願書に添付した明細書及び図面において記載された事項の範囲内であって、特許請求の範囲の減縮及び誤記の訂正に該当し、実質的に特許請求の範囲を拡張又は変更するものではない。
３）独立特許要件の判断
　次に、訂正明細書の請求項１乃至２に係る発明が、特許出願の際独立して特許を受けることができるか否かについて検討する。
　上記取消理由通知で引用した刊行物１（実公昭５１−３５３２７号公報）には、ヘヤカーラの加熱装置において、「１は上方を開口したケースで、このケース１の内底部には両側の支枠２を介して熱盤３が取付けられ、この熱盤３の下面には発熱体４が取付けられているとともに、両端下部には端子５が取付けられている。」（公報１欄３３〜３７行）こと、また、「１４は円筒状のヘアカーラーで、中心部に前記熱棒６に嵌合する嵌合孔１５が形成されているとともに周囲に多数の突起１６が突設されている。しかして、この使用にあたっては、角熱棒にカーラ１４をその嵌合孔１５を介して嵌合し、電源接続体１０の接続刃１１をコンセントに差し込み、端子１２、リード線１３および端子５を介して発熱体４に通電し、これを作動して熱盤３を加熱し、熱棒６を介してカーラ１４を加熱する。しかして、壁面などにコンセントがある場合は、第３図に示すように、接続刃１１を側方に突出した状態で差し込み、また、床面などにコンセントがある場合は、第４図に示すように、接続体１０を回動して接続刃１１を下方に突出した状態で差し込んで使用する。」（公報２欄２０〜３４行）こと、「本考案によれば、使用時に電源接続体を回動して接続部を所望方向に突出し、所望方向において接続でき、コンセントの取り付け位置に関係なく使用できるとともに、取り扱いが簡単で狭い場所でも使用でき、また、不使用時に電源接続体を回動してケース内に収納することができ、小形にまとめられてポータブル形として使い易く便利である。」（公報２欄３８行〜３欄６行）ことが記載されている。
　同じく、刊行物２（実公昭６３−２１２３９号公報）には、「プラグ刃体２６としては先端に２枚のプラグ刃１０を植設した摺動板２７が蓋体９の周面に設けたスリット３０からプラグ刃１０が出没するものとする。」（公報３欄２４〜２８行）こと、「この考案は本体ケース２にシガプラグ体７を突出形成し、該プラグ体７を蓋体９で着脱自在に覆い、この蓋体９内商用交流電源を所定のシガライタ用電源に変換するアダプタを内蔵したので、車輛内での充電と、家庭内での充電の変更は蓋体９の着脱操作のみで容易に実施できる。」（公報４欄２２〜２８行）ことが記載されている。
　同じく、刊行物３（実願昭６１−６１１５６号（実開昭６２−１７３１６０号）のマイクロフィルム）には、「充電器Ｂの下部一側には出退自在なプラグ６４・６４が備えられていて、電源コンセントに接続できる。」（明細書１２頁１５〜１７行）ことが記載されている。
（１）本件請求項１に対して
　そこで、本件請求項１に係る発明と刊行物１に記載された発明とを対比すると、刊行物１に記載された発明の、「ヘヤカーラ」、「熱盤」、「接続刃」及び「熱棒」は、本件発明の「ヘアカーラー」、「支持台」、「栓刃」及び「支持部」にそれぞれ相当するから、両者は、「ヘアカーラーと、このヘアカーラーが着脱自在に装着される支持部を備えるとともに電源との接続用の栓刃を備えたヘアカーラー加熱用の支持台とからなり、支持台はその上面から支持部を突出させた形態となっており、支持台における支持部へのヘアカーラーの装着方向と交叉する方向に突出する上記栓刃は支持台内に収納自在とされていることを特徴とするヘアカーラー装置。」の点で一致しており、
▲１▼支持台は、本件請求項１に係る発明では、「その上面から支持部のみを突出させた形態」となっているのに対し、刊行物１記載の発明では、上方を開口したケースの内底部に取付けられ熱棒が立設されている点、
▲２▼栓刃は、本件請求項１に係る発明では、「突出方向にスライド自在で、該スライドにより支持台内に収納自在とされている」のに対し、刊行物１記載の発明では、回動して所望方向に突出し、回動して凹部内に納める点、
で相違している。
　そこで、本件請求項１に係る発明と甲第１号証記載の発明との上記相違点について検討する。
　刊行物２記載の発明は、電気かみそりに関するものであって、上記▲２▼の構成である栓刃を備えているが、栓刃を備えたアダプターは、充電式電気かみそり本体のプラグ体を覆うように嵌着されるようになっているものであり、本件請求項１に係る発明の支持台のように「その上面から支持部のみを突出した形態」とはなっていない。
　同じく刊行物３記載の発明は、振動式電気かみそりに関するものであって、上記▲２▼の構成である栓刃を備えているが、栓刃を備えた充電器は上面に、電気かみそり本体の底面の充電用接続部に係入する突部と電気かみそりのスイッチがオン状態にあるとき本体と充電器との差込み連結を牽制阻止する凸部を形成したものであり、本件請求項１に係る発明の支持台のように「その上面から支持部のみを突出した形態」とはなっていない。
　そして、本件請求項１に係る発明は、上記刊行物１乃至刊行物３記載の発明に備わっていない構成を備えることにより、「壁コンセントが複数の栓刃受けを有している時に接続していない他の栓刃受け部分を支持台が隠蔽してしまう虞を少なくすることができる。」という効果を奏するものと認められる。
　したがって、請求項１に係る発明は、刊行物１乃至刊行物３に記載された発明に基づいて当業者が容易に発明をすることができたものとすることができない。
　また、当審が通知した平成１１年３月２９日付け取消理由通知に記載した理由によっても、本件請求項１に係る発明が、特許出願の際独立して特許を受けることができないものとはいえない。
（２）本件請求項２に係る発明に対して
　請求項２に係る発明は、請求項１に係る発明をさらに限定したものであるから、請求項１に係る発明についての判断と同様の理由により、上記刊行物１乃至刊行物３に記載の発明に基づいて当業者が容易に発明をすることができたものとすることはできない。
　また、当審が通知した平成１１年３月２９日付け取消理由通知に記載した理由によっても、本件請求項２に係る発明が、特許出願の際独立して特許を受けることができないものとはいえない。
５．むすび
　以上のとおりであるから、上記訂正請求は、特許法第１２０条の４第２項及び第３項で準用する特許法第１２６条第２項乃至第４項の規定に適合するので当該訂正を認める。
ＩＩＩ．特許異議申し立てについての判断
１．本件発明
　平成１１年２月１５日付けで提出された訂正明細書の請求項１及び請求項２に係る発明は、その、特許請求の範囲の請求項１及び請求項２に記載された以下のとおりのものである。
　【請求項１】ヘアカーラーと、このヘアカーラーが着脱自在に装着される支持部を備えるとともに電源との接続用の栓刃を備えたヘアカーラー加熱用の支持台とからなり、支持台はその上面から支持部のみを突出させた形態となっており、支持台における支持部へのヘアカーラーの装着方向と交叉する方向に突出する上記栓刃は上記突出方向にスライド自在で該スライドにより支持台内に収納自在とされていることを特徴とするヘアカーラー装置。
　【請求項２】複数個の支持部が栓刃の突出方向と交叉する方向に並設されていることを特徴とする請求項１記載のヘアカーラー装置。
２．申立理由の概要
▲１▼申立人宮崎冨美生は、
甲第１号証（実公昭５１−３５３２７号公報）
甲第２号証（実公昭６３−２１２３９号公報）
甲第３号証（実願昭６１−６１１５６号（実開昭６２−１７３１６０号）のマイクロフィルム
を提出し、「本願各発明は、その出願前公知の甲第１号証乃至甲第３号証の記載に基づいて、当業者が容易に発明しうる程度のものであって、特許法第２９条第２項の規定により特許を受けることができない。」旨主張している。
　同じく、
▲２▼申立人九州日立マクセル株式会社は、
甲第１号証（実公昭５１−３５３２７号公報）
甲第２号証（実願昭６１−６１１５４号（実開昭６２−１７２１８１号）のマイクロフィルム）
を提出し、
「本件請求項１、請求項２に係る各発明は、甲第１号証及び甲第２号証に記載された発明に基づいて当業者が容易に成し得たものであり、特許法第２９条第２項の規定により特許登録を受けることができない。」旨主張している。
３）判断
▲１▼申立人宮崎冨美生の主張に対して
　異議申立人の提出した甲第１号証乃至甲第３号証は、取り消し理由通知で示した刊行物１乃至刊行物３であるから、本件請求項１及び請求項２に係る発明は、甲第１号証乃至甲第３号証に記載された発明から当業者が容易に発明をすることができたものとすることはできないことは、前記したとおりである。
　したがって、申立人の主張は採用できない。
▲２▼申立人九州日立マクセル株式会社の主張に対して、
　甲第１号証には、刊行物１に記載された事項と同様の事項が記載されている。
　同じく甲第２号証には、「操作ノブ１２はプラグ刃１１が外郭ケース２外に突出する姿勢と、外郭ケース２内に収まる２位置で係止突起により係止保持される。」（明細書８頁１９行〜同９頁２行）ことが記載されている。
　そこで、本件請求項１に係る発明と甲号各証記載の発明とを対比すると、甲号各証記載の発明は本件請求項１に係る発明の構成である「支持台はその上面から支持部のみを突出させた形態となって」いる構成を備えていない。
　そして本件請求項１に係る発明は、甲号各証に記載された発明に備わっていない上記構成を備えることにより「壁コンセントが複数の栓刃受けを有している時に接続していない他の栓刃受け部分を支持台が隠蔽してしまう虞を少なくすることができる。」という効果を奏するものである。
　したがって、請求項１に係る発明は、甲第１号証及び甲第２号証記載の発明に基づいて当業者が容易に発明をすることができたものとすることができないから申立人の主張は採用できない。
　また、請求項２に係る発明は、請求項１に係る発明をさらに限定したものであるから請求項１に係る発明についての判断と同様の理由により、甲第１号証及び甲第２号証記載の発明に基づいて当業者が容易に発明をすることができたものとすることができないから申立人の主張は採用できない。
３）むすび
　以上のとおりであるから、各特許異議申立人が提出した理由及び証拠によっては、本件請求項１及び請求項２に係る特許を取り消すことはできない。
　また、他に本件請求項１及び請求項２に係る特許を取り消すべき理由を発見しない。
【異議決定日】
平成１１年１０月２１日（１９９９．１０．２１）
【訂正の要旨】
訂正の要旨
（１）訂正事項ａ　特許第２６５０９８４号明細書における特許請求の範囲の項の請求項１を下記の通りに訂正する。
「（１）ヘアカーラーと、このヘアカーラーが
着脱自在
支持台はその上面から支持部のみを突出させた形態となっており、
スライド自在
（２）訂正事項ｂ　登録公報第２頁第３欄第２２行目の「装着される」の前に「
着脱自在に
（３）訂正事項ｃ　登録公報第２頁第３欄第２４行目行頭の「り、」の次に下記の文を挿入する。
「
支持台はその上面から支持部のみを突出させた形態となっており、
（４）訂正事項ｄ）登録公報第２頁第３欄第２５行目から第２６行目にかけての「スライド式自在」を「
スライド
（５４）【発明の名称】
ヘアカーラー装置
（５７）【特許請求の範囲】
（１）ヘアカーラーと、このヘアカーラーが
着脱自在
支持台はその上面から支持部のみを突出させた形態となっており、
スライド自在
（２）複数個の支持部が栓刃の突出方向と交叉する方向に並設されていることを特徴とする請求項１記載のヘアカーラー装置。
【発明の詳細な説明】
　　【産業上の利用分野】
　本発明はヘアカーラーとこのヘアカーラーを加熱するための支持台とからなるヘアカーラー装置に関する。
　　【従来の技術】
　このヘアカーラー装置としては、従来より第１０図に示すように、電源コード６が導出されているとともに棒状の支持部１１が一面より複数本突設されている支持台１と、支持台１の支持部１１に装着されて加熱されるヘアカーラー２とからなるものが提供されているが、この場合、収納する時に電源コード６が邪魔になるために、携帯性の点で難がある。
　また、実公昭５２−２１１６８号公報や実公昭５２−２１１６９号公報には、支持台１から電源との接続用の栓刃を直接突設させて、壁面のコンセントなどに接続することができるようにしたものが提供されている。この場合、電源コードがないために、取り扱いが簡便であるとともに携帯性が良くなっている。
　　【発明が解決しようとする課題】
　しかし、上記公報に示されたものでは、栓刃が常時支持台から突出した状態にあるために、収納性がさほど良くない上に、栓刃が他の収納物を傷付けてしまうことがある。またヘアカーラーの装着方向と栓刃の突出方向とが逆を向くようにされているために、栓刃を壁コンセントに接続した時にこの接続部にかかるヘアカーラーの自重モーメントが大きくて接続が不安定となりやすい。栓刃を壁コンセントに差し込んだ状態でヘアカーラーの着脱を行うという使用形態が考えられるために、この場合にはヘアカーラーを差し込む時の力もかかることになり、なおさら問題となる。また壁コンセントが複数の栓刃受けを有している時に接続していない他の栓刃受け部分を隠蔽してしまうという問題や、ヘアカーラーを外す際に栓刃が壁コンセントから抜けてしまいやすいという問題も有している。
　本発明はこのような点に鑑み為されたものであり、その目的とするところは携帯性及び収納性が非常に良好である上に使い勝手も良好なヘアカーラー装置を提供するにある。
　　【課題を解決するための手段】
　しかして本発明は、ヘアカーラーと、このヘアカーラーが
着脱自在
支持台はその上面から支持部のみを突出させた形態となっており、
スライド自在
　　　〔作用〕
　本発明によれば、収納及び携帯時には、栓刃を支持台内に収納しておくことができ、栓刃が邪魔になったりすることがないものであり、しかも支持部へのヘアカーラーの装着方向と栓刃の突出方向とを交叉させているために上記従来例に比して、栓刃を壁コンセントに接続した時にこの接続部にかかるヘアカーラーの自重モーメントを小さくすることができる上に、栓刃を支持台内に収納自在としているとはいえ、この収納を栓刃の突出方向におけるスライドによって行うために、上方から加わる力によって壁コンセントヘの接続状態が不安定となりにくいものである。特に複数個の支持部を有するものではこれら支持部を栓刃の突出方向と交叉する方向に並設しておくとモーメントを小さくすることができるものである。
　　　〔実施例〕
　以下本発明を図示の実施例に基づいて詳述すると、第１図〜第４図は一実施例を示すもので、ここにおける支持台１は、その上面から一本の棒状の支持部１１を突設するとともに、内部に栓刃３をスライド自在に保持しているものであって、その一側面には栓刃３をスライドさせた時に栓刃３の先端部を支持台１外面に突出させるための開口１２を備え、下面には栓刃３に連結されたハンドル３０をスライド自在に配置する凹溝１３を備えている。
　支持台１上面における支持部１１を囲む円弧状に形成された突部１４はこの支持部１１にヘアカーラー２を装着した時に、ヘアカーラー２を支持台１上面から浮かすためのものであり、支持台１の両側面に設けられた円形の突部１５は、上記栓刃３を壁面のコンセント９に対して着脱する際の操作部である。また、上記ハンドル３０が配されている凹溝１３の底部には、ハンドル３０と栓刃３との連結部を通すためのガイド溝１６と、栓刃３を収納した状態及び突出させた状態においてクリックを与える係止クリック部１７が設けられている。
　このヘアカーラー装置においては、支持部１１にヘアカーラー２を装着した状態で、支持台１から栓刃３を突出させ、そしてコンセント９に栓刃３を接続すればよく、収納時や携帯時には、栓刃３を支持台１内に引き込むことによって、栓刃３が突出することのないコンパクトな形状とすることができる。
　尚、支持台１はヘアカーラー２を加熱するためのものであるが、この加熱の形態としては、次に述べる二つのいずれでもあってもよい。一つは第５図に示すように、ヘアカーラー２の内部にたとえば正特性サーミスタ等からなる発熱体２１と、この発熱体２１の両面に接触する一対の電極板２２，２３を設けるとともに各電極板２２，２３に接続された同軸形状の接続端子ピン２４を設け、支持台１側には第６図に示すように、上記接続端子ピン２４を通じて上記両電極板２２，２３に接続される接続端子４１，４２を支持部１１内に設けたものであり、他の一つは第７図に示すように、支持台１側にヒーター３０を設けるとともに支持部１１を熱良導体で形成し、ヘアカーラー２側に蓄熱剤を入れたものである。
　第８図に示すように、支持台１に設ける支持部１１は複数であってもよい。ただし、支持部１１へのヘアカーラーの装着方向と栓刃３の突出方向とを交叉させておくことで、コンセント９への接続時にこの接続部にかかるヘアカーラーの自重モーメントを小さくするとともに、支持部１１を栓刃３の突出方向と交叉する方向に並設することによって、同じく自重モーメントを小さくすることができるようにしておく。
　更に、複数のヘアカーラー２を同時に加熱するには、通常であれば、支持台１に複数個の支持部１１を設けておかなくてはならないが、支持部１１が一つしかない支持台１であっても、第９図に示すように、他の支持台１の栓刃３が差し込まれる送り接続部４を備えたものであれば、複数のヘアカーラー２の同時加熱を行うことができる。この場合、二つのヘアカーラー２の同時加熱に必要な支持台１を分割したのと同じであるために、更に携帯性に優れたものとなる。
　　【発明の効果】
　以上のように本発明においては、収納及び携帯時には、栓刃を支持台内に収納しておくことができ、栓刃が邪魔になったりすることがなく、携帯性及び収納性に優れる上に、栓刃が他の収納物を傷付けてしまうこともないものであり、しかも支持部へのヘアカーラーの装着方向と栓刃の突出方向とを交叉させているために、実公昭５２−２１１６９号公報記載のものに比して、栓刃を壁コンセントに接続した時にこの接続部にかかるヘアカーラーの自重モーメントを小さくすることができて接続が安定するほか、支持部に装着したヘアカーラーを外す際に栓刃が壁コンセントから抜け出てしまう虞れや、壁コンセントが複数の栓刃受けを有している時に接続していない他の栓刃受け部分を支持台が隠蔽してしまう虞れを少なくすることができる。また、栓刃を収納自在とするにあたり、栓刃の突出方向にスライド自在として該スライドで収納自在としているために、壁コンセントに接続した状態でヘアカーラーの着脱を行う時、特に上方から支持部に装着する時に、上方から加わる力によって壁コンセントヘの接続状態が不安定となりにくい上に支持台がぐらつくことも殆どなく、上記状態でのヘアカーラーの着脱を円滑に行うことができる。
　複数個の支持部が並ぶ方向が栓刃の突出方向と交叉する方向としておくならば、複数個のヘアカーラーが装着可能であるとはいえ、モーメントがさほど大きくならないために、複数個のヘアカーラーを装着した時にも接続が安定するものである。
【図面の簡単な説明】
　第１図及び第２図は本発明一実施例の斜視図、第３図（ａ）（ｂ）（ｃ）は同上の平面図と正面図と左側面図、第４図（ａ）（ｂ）は同上の栓刃を突出させた状態の底面図と右側面図、第５図はヘアカーラーの一例の断面図、第６図は同上の支持台との接続時の断面図、第７図は他例の側面図、第８図は他の実施例の斜視図、第９図は別の実施例の斜視図、第１０図は従来例の斜視図であって、１は支持台、２はヘアカーラー、３は栓刃、１１は支持部を示す。